(57)【要約】【課題】再生画像の鑑賞方法の多様化に対応すべく、再生画像の状態に応じてその再生画像の再生時間を設定可能とする。【解決手段】画像データのファイルを取得したならば、例えばその画像のファイルサイズ、コントラストの大小、周波数成分等を判定し、それに応じて１秒間表示の設定としたり、３秒間表示の設定としたりする。これにより、例えば空だけが写っているような変化に乏しい画像は速く再生し、風景部分はゆっくり再生する等の画像の状態に合わせたスライドショー再生が可能となる。【選択図】      図１
2004320379.tif 000002
【特許請求の範囲】
【請求項１】
撮影により記録された画像を連続的に表示可能な画像再生装置であって、
再生画像の状態を判定する判別手段を備え、
上記判定手段による判定の結果に応じて該再生画像の表示時間を設定することを特徴とする画像再生装置。
【発明の詳細な説明】
【０００１】
【発明の属する技術分野】
本発明は、撮影により記録された画像を連続的に表示可能な画像再生装置に関する。
【０００２】
【従来の技術】
画像再生に関して、例えば特許文献１には、各コマ画像の撮影時間又は撮影時間に相関する情報を記憶媒体に記憶し、連続再生時に記憶媒体内の情報を利用して、各コマの再生時間と連続撮影時の各コマ画像の表示時間との対応をとる技術が開示されている。
【０００３】
【特許文献１】
特開２０００−５９７１５号公報
【０００４】
【発明が解決しようとする課題】
上記特許文献１に開示されたものは撮影時間に応じて再生時間が決まるものであるが、ユーザが要求する再生画像の鑑賞方法は多様化しており、例えば風景を撮影した画像を分割して連続的に拡大表示するような場合に、空だけが写っているような変化に乏しい画像は速く再生し、風景部分はゆっくり再生する等の画像の状態に合わせたスライドショー再生が求められることもある。
【０００５】
本発明は上記のような点に鑑みてなされたものであり、再生画像の鑑賞方法の多様化に対応すべく、再生画像の状態に応じてその再生画像の再生時間を設定可能とすることを目的とする。
【０００６】
【課題を解決するための手段】
本発明の画像再生装置は、撮影により記録された画像を連続的に表示可能な画像再生装置であって、再生画像の状態を判定する判別手段を備え、上記判定手段による判定の結果に応じて該再生画像の表示時間を設定する点に特徴を有する。
【０００７】
【発明の実施の形態】
以下、図面を参照して、本発明の実施の形態を説明する。
図１は、本実施の形態の画像再生装置が一体化された撮像装置（本例では電子スチルカメラ）の構成を示す図であり、撮影後に、撮影画像の一部或いは全部を表示することが可能である。同図において、５０はカメラの各種回路を制御するマイクロプロセッサ等からなる制御回路であり、ＲＯＭ、ＲＡＭ等、プログラム動作に必要な機能が内蔵されている。
【０００８】
５１は被写体輝度を測定する測光回路、５２は被写体までの距離を測定する測距回路、５３は測距回路５２にて得られる測距情報に基づいて撮影レンズのピント調整を行うＡＦ駆動回路、５４は絞りの制御を行う絞り制御回路である。
【０００９】
５５はシャッタ開閉制御を行うシャッタ制御回路、５６は撮影レンズから入ってくる光を電気信号に変換する撮像素子、５７は信号処理部、５８は記録回路である。
【００１０】
５９は撮影画像や撮影時の情報等を表示するための表示制御部であり、表示部６０の制御を行う。６１は外部との通信を行うための通信制御部であり、端子６２を介してデータのやりとりを行う。
【００１１】
６３はレリーズ釦の第１ストロークでオンする測光・測距開始スイッチ（ＳＷ１）、６４はレリーズ釦の第２ストロークでオンするレリーズスイッチ（ＳＷ２）である。これらスイッチ６３、６４は、レリーズ釦のそれぞれ半押し時、全押し時にオンするスイッチである。６５は連続撮影機能選択部、６６は温度検出部である。
【００１２】
図２は、本実施の形態の電子スチルカメラでの処理動作を説明するフローチャートであり、撮影開始から撮影画像の表示までの流れを示す。なお、フローチャートに示す各処理は、制御回路５０をマイクロプロセッサにて構成した場合の該回路により行われる。
【００１３】
ステップＳ２００にて不図示の電源スイッチの状態を検知し、オフならば終了するが、オンであればステップＳ２１０以降に進む。
【００１４】
電源スイッチがオンの場合、ステップＳ２１０にて給送モード設定を行うか否かを確認する。給送モード設定を行う場合には、ステップＳ２２０にて連続撮影機能選択部６５により給送モードの選択、決定を行う。
【００１５】
ステップＳ３００以降は撮影シーケンスである。まず、ステップＳ３００にて測光・測距開始スイッチ（ＳＷ１）が押されたか否か判別し、ＳＷ１が押されていなければステップＳ２００に戻って押されるのを待つ。ＳＷ１が押されたならば、ステップＳ３１０に進み、測光回路５１により測光を行い、その結果をＡＤ変換して、ステップＳ３２０にてシャッタ開時間（ＴＶ）、絞りの制御値（ＡＶ）を決定する。そして、次のステップＳ３３０にて測距回路５２により測距を行い、この結果により、ステップＳ３４０にてＡＦ駆動回路５３を駆動して撮影レンズの焦点を合わせる。
【００１６】
次に、ステップＳ３５０にて露光開始用のレリーズスイッチ６４（ＳＷ２）が押されたか否か判別し、ＳＷ２が押されていなければステップＳ２００に戻って同様の動作を繰り返す。ＳＷ２が押されたならば、ステップＳ３６０に進み、撮影データの設定を行う。撮影データの設定としては、シャッタスピードや絞り値、駒数等、記録する情報をマイクロプロセッサ５０内のＲＡＭに一時的に準備する動作を行う。そして、次のステップＳ３７０にてシャッタ制御回路５５及び絞り制御回路５４を動作させ、撮像素子５６への露光を行う。撮像素子５６への露光が終了すると、ステップＳ３８０にて上記ステップＳ３６０で準備した撮影データの記憶を行う。撮影データの記憶が終わると、ステップＳ３９０にて画像ファイルを出力する。
【００１７】
続いてステップＳ４００にて給送モードの判定を行い、連写の場合にはステップＳ２００に戻る。一方、単写の場合にはステップＳ４１０に進み、ＳＷ２がオフされたことを検知した後にステップＳ２００に戻る。以上で、一連の撮影シーケンスが終了する。
【００１８】
図３は、本実施の形態の電子スチルカメラでの処理動作を説明するフローチャートであり、複数枚の画像を連続的に表示する画像再生時の流れを示す。なお、これら処理も制御回路５０により行われ、本実施の形態では制御回路５０が本発明でいう各手段を構成するものとなる。
【００１９】
画像再生時は、ステップＳ７００にて画像データのファイルを取得し、ステップＳ７１０にて画像の状態を判定する。この判定は、例えば各画像のファイルサイズでの判定、各画像のコントラスト大小での判定、各画像の周波数成分に基づいて行われる。例えば、ファイルサイズが小さい画像は、表示時間を短めに、サイズが大きい画像は、表示時間を長めにしたり、低周波成分が多ければ、滑らかな部分が多い画像と判断し、表示時間を短めに、高周波成分が多ければ、変化の激しい部分が多い画像ととらえ、表示時間を長めにしたりする、ことが考えられる。
【００２０】
判定の結果、短めの表示で構わない画像（パターン１）と判定した場合には、ステップＳ７２０にて１秒間表示の設定とする。一方、長めの表示を行った方がいい画像（パターン２）と判断した場合には、ステップＳ７３０にて３秒間表示の設定を行うように設定を行う。なお、図示例ではパターン１、２の２種類としたが、３種類以上の表示設定を行うようにしてもよい。
【００２１】
そして、その結果を画像データのファイル表示としてステップＳ７４０にて出力し、ステップＳ７５０にて上記ステップＳ７２０、Ｓ７３０で設定された秒時に従った表示を行う。その後、ステップＳ７６０にて次画像があるか否か判別し、次画像があればステップＳ７００に戻って同様の動作を繰り返す。
【００２２】
図５（ａ）には、コントラスト小、中、大によって再生画像の表示時間をそれぞれ１秒間表示、２秒間表示、３秒間表示とするようにした場合の表示例を示す。同図に示す例では、コントラスト小の画像が１秒間表示され、同じくコントラスト小の画像が１秒間表示され、コントラスト中の画像が２秒間表示され、コントラスト大の画像が３秒間表示されるという連続的な再生が行われる。
【００２３】
なお、上記実施の形態では、複数枚の撮影画像を連続的に表示する再生例を述べたが、１枚の画像を分割して拡大表示する場合に適用してもよい。この場合における画像再生時の流れの一例について説明すると、図４に示すように、ステップＳ８００にてまず再生時の秒時設定を行う。ここでは、Ｘ秒とＹ秒の２種類の秒時設定とする。
【００２４】
ステップＳ８１０にて拡大画像の取り込みを行い、ステップＳ８２０にて最も重要と判定される位置を決定する。この判定は、例えば、人物の顔判定を行うことによるなどの一定の条件を設定しておき、その条件に合ったものを最重要画像とすればよい。判定できなかった場合には、ステップＳ８３０にて左上位置を初期表示位置の設定とする。判定できた場合には、ステップＳ８４０にて判定された位置を初期表示位置の設定とする。
【００２５】
次に、ステップＳ８５０にて表示位置に対応した画像を取り込み、ステップＳ８６０にて画像の状態を判定する。この判定により、ステップＳ８７０、Ｓ８８０での２種類の表示時間設定を行う。この判定は、図３のステップＳ７１０の処理と同様である。
【００２６】
そして、その結果を画像データのファイル表示としてステップＳ８９０にて出力し、ステップＳ９００にて上記ステップＳ８７０、Ｓ８８０で設定された秒時に従った表示を行う。その後、ステップＳ９１０にて全位置での拡大表示を行うまで同様の処理を繰り返す。
【００２７】
図５（ｂ）には、山を撮影した画像を分割して連続的に表示する例を示す。同図に示す例では、例えば左上位置の画像から各分割領域の拡大画像が順次再生され、その場合に各分割領域に記載した秒時だけ表示が行われる。
【００２８】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００２９】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００３０】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３１】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００３２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００３３】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００３４】
以下、本発明の実施態様の例を列挙する。
（実施態様１）  撮影により記録された画像を連続的に表示可能な画像再生装置であって、
再生画像の状態を判定する判別手段を備え、
上記判定手段による判定の結果に応じて該再生画像の表示時間を設定することを特徴とする画像再生装置。
【００３５】
（実施態様２）  上記判定手段による判定の結果に応じて、予め設定された複数の表示時間から該画像の表示時間を選択して設定する表示時間設定手段を備えたことを特徴とする実施態様１に記載の画像再生装置。
【００３６】
（実施態様３）  上記判定手段は再生画像のファイルサイズを判定することを特徴とする実施態様１又は２に記載の画像再生装置。
【００３７】
（実施態様４）  上記判定手段は再生画像のコントラストを判定することを特徴とする実施態様１又は２に記載の画像再生装置。
【００３８】
（実施態様５）  上記判定手段は再生画像の周波数成分を判定することを特徴とする実施態様１又は２に記載の画像再生装置。
【００３９】
（実施態様６）  撮影により記録された複数枚の画像を連続的に表示することを特徴とする実施態様１〜５のいずれか１項に記載の画像再生装置。
【００４０】
（実施態様７）  撮影により記録された１枚の画像を分割して連続的に拡大表示することを特徴とする実施態様１〜６のいずれか１項に記載の画像再生装置。
【００４１】
（実施態様８）  上記１枚の画像の分割領域のうち、一定の条件下で初期表示する分割領域の画像を選択する選択手段を備えたことを特徴とする実施態様７に記載の画像再生装置。
【００４２】
（実施態様９）  撮影動作に応じて画像を記録する画像記録手段を備えた撮像装置であって、
実施態様１〜８のいずれか１項に記載の画像再生装置が一体化されたことを特徴とする撮像装置。
【００４３】
（実施態様１０）  撮影により記録された画像を連続的に表示可能な画像再生方法であって、
再生画像の状態を判定する手順を有し、
上記判定手順による判定の結果に応じて該再生画像の表示時間を設定することを特徴とする画像再生方法。
【００４４】
（実施態様１１）  撮影により記録された画像を連続的に表示する処理をコンピュータに実行させるコンピュータプログラムであって、
再生画像の状態を判定する処理を実行させ、
上記判定処理による判定の結果に応じて該再生画像の表示時間を設定することを特徴とするコンピュータプログラム。
【００４５】
（実施態様１２）  実施態様１１に記載のコンピュータプログラムを格納したことを特徴とするコンピュータ読み取り可能な記憶媒体。
【００４６】
【発明の効果】
以上述べたように本発明によれば、再生画像の状態、例えばファイルサイズ、コントラスト、周波数成分等を判定し、それに応じて該再生画像の再生時間を設定するようにしたので、例えば空だけが写っているような変化に乏しい画像は速く再生し、風景部分はゆっくり再生する等の画像の状態に合わせたスライドショー再生が可能となる。
【図面の簡単な説明】
【図１】本実施の形態の画像再生装置が一体化された撮像装置の構成を示す図である。
【図２】本実施の形態の電子スチルカメラでの処理動作（撮影開始から撮影画像の表示までの流れ）を説明するフローチャートである。
【図３】本実施の形態の電子スチルカメラでの処理動作（複数枚の画像を連続的に表示する画像再生時の流れ）を説明するフローチャートである。
【図４】本実施の形態の電子スチルカメラでの処理動作（１枚の画像を分割して連続的に拡大表示する画像再生時の流れ）を説明するフローチャートである。
【図５】本実施の形態の電子スチルカメラでの表示例を説明するための図である。
【符号の説明】
５０        制御回路
５１        測光回路
５２        測距回路
５３        ＡＦ駆動回路
５４        絞り制御回路
５５        シャッタ制御回路
５６        撮像素子
５７        信号処理部
５８        記録回路
５９        表示制御部
６０        表示部
６１        通信制御部
６２        端子
６３        測光・測距開始スイッチ（ＳＷ１）
６４        レリーズスイッチ（ＳＷ２）
６５        連続撮影機能選択部
６６        温度検出部
【図１】
2004320379.tif 000003
【図２】
2004320379.tif 000004
【図３】
2004320379.tif 000005
【図４】
2004320379.tif 000006
【図５】
2004320379.tif 000007